(57)【要約】【課題】可搬式の電子明細書端末を用いた場合のテーブル番号の設定を簡単に行うことができるオーダリングシステムを提供する。【解決手段】オーダリング端末２は、店内９に配置されたテーブル８を特定するテーブル特定情報を入力するテーブル特定情報入力手段と、テーブル特定情報に関連付けて注文情報６を入力する第１注文情報入力手段と、入力されたテーブル特定情報を電子明細書端末３に送信するテーブル特定情報送信手段と、を備え、電子明細書端末３は、テーブル特定情報を受信するテーブル特定情報受信手段と、テーブル特定情報に関連付けられた注文情報６を受信する第１注文情報受信手段と、注文情報６を入力する第２注文情報入力手段と、を備え、第１注文情報受信手段により受信した注文結果と、第２注文情報入力手段による注文結果と、を表示する表示手段１１と、を備える。【選択図】図１
2009042864.tif 000002
【特許請求の範囲】
【請求項１】
飲食店において、店員が注文情報を入力するオーダリング端末と、顧客が注文情報を入力可能な携帯型の電子明細書端末と、が無線通信するオーダリングシステムであって、
前記オーダリング端末は、
店内に配置されたテーブルを特定するテーブル特定情報を入力するテーブル特定情報入力手段と、
前記テーブル特定情報に関連付けて前記注文情報を入力する第１注文情報入力手段と、
入力された前記テーブル特定情報を前記電子明細書端末に送信するテーブル特定情報送信手段と、を備え、
前記電子明細書端末は、
前記テーブル特定情報を受信するテーブル特定情報受信手段と、
前記テーブル特定情報に関連付けられた前記注文情報を受信する第１注文情報受信手段と、
前記注文情報を入力する第２注文情報入力手段と、
前記第１注文情報受信手段により受信した注文結果と、前記第２注文情報入力手段による注文結果と、を表示する表示手段と、を備えたことを特徴とするオーダリングシステム。
【請求項２】
システム構成要素として、
前記オーダリング端末および前記電子明細書端末と無線ＬＡＮにより接続されると共に、当該オーダリング端末および当該電子明細書端末に入力された前記注文情報を受信して管理する管理サーバをさらに備え、
前記電子明細書端末は、
前記管理サーバに対して、前記テーブル特定情報と自身のＩＤ情報と、を関連付けた端末情報を送信する端末情報送信手段をさらに備え、
前記管理サーバは、
前記端末情報を受信する端末情報受信手段と、
前記オーダリング端末および前記電子明細書端末から、前記テーブル特定情報に関連付けられた前記注文情報を受信する第２注文情報受信手段と、を備え、
受信した前記端末情報に基づいて、受信した全ての前記注文情報を前記電子明細書端末に送信することを特徴とする請求項１に記載のオーダリングシステム。
【請求項３】
前記第２注文情報入力手段は、
入力可能なメニューの種類が、前記第１注文情報入力手段とは異なることを特徴とする請求項１または２に記載のオーダリングシステム。
【請求項４】
前記電子明細書端末は、
前記表示手段に表示された前記注文情報に基づく決済情報である電子レシートを発行するための電子レシート発行手段をさらに有し、
前記電子レシート発行手段は、顧客が所有する携帯情報端末等に前記電子レシートを送信することを特徴とする請求項１ないし３のいずれか１項に記載のオーダリングシステム。
【請求項５】
システム構成要素として、
前記飲食店の出口付近に設置された盗難防止装置をさらに有し、
前記電子明細書端末は、自身を特定するための無線タグをさらに備え、
前記盗難防止装置は、前記無線タグの読み取り結果に応じて、前記電子明細書端末の盗難を検知することを特徴とする請求項１ないし４のいずれか１項に記載のオーダリングシステム。
【請求項６】
請求項１ないし５のいずれか１項に記載のオーダリングシステムに用いられる電子明細書端末。
【請求項７】
コンピュータを、請求項１ないし５のいずれか１項に記載のオーダリングシステムにおける前記電子明細書端末の各手段として機能させるためのプログラム。
【発明の詳細な説明】
【技術分野】
【０００１】
本発明は、レストラン等の飲食店において、顧客からの注文を受けるために使用されるオーダリングシステム、電子明細書端末およびプログラムに関するものである。
【背景技術】
【０００２】
従来、飲食店等において、客席のテーブルに設置されている電子明細書端末（商品注文装置）から、顧客が注文を行うことができるオーダリングシステムが知られている。このシステムは、各テーブルに設置された電子明細書端末と、注文データを受信する商品受注装置と、で構成されている。この場合、顧客が電子明細書端末のタッチパネルを操作して所望のメニューを選択することで注文を行う。そして、選択されたメニューの情報（注文データ）が、商品受注装置に送信されることにより注文が成立する（例えば、特許文献１参照）。
【特許文献１】特開平５−１９７７３０号公報
【発明の開示】
【発明が解決しようとする課題】
【０００３】
しかしながら、上記の電子明細書端末（商品注文装置）は、テーブル嵌め込み型、あるいはテーブル据付け型として形成されており、テーブル上で大きなスペースを占めるため、食事の邪魔になると共にテーブルに料理が置かれると操作し難いという問題がある。これを解決する方法の１つに、電子明細書端末を小型化することで持ち運びを可能（携帯型）にすると共に、どのテーブルでも使用できるようにすることが考えられる。しかし、この場合、店員が、テーブル番号と電子明細書端末との関連付けを行う必要が有り、この設定に手間が掛かる。
【０００４】
本発明は、携帯型の電子明細書端末を用いた場合のテーブル番号の設定を簡単に行うことができるオーダリングシステム、電子明細書端末およびプログラムを提供することを目的とする。
【課題を解決するための手段】
【０００５】
本発明のオーダリングシステムは、飲食店において、店員が注文情報を入力するオーダリング端末と、顧客が注文情報を入力可能な携帯型の電子明細書端末と、が無線通信するオーダリングシステムであって、オーダリング端末は、店内に配置されたテーブルを特定するテーブル特定情報を入力するテーブル特定情報入力手段と、テーブル特定情報に関連付けて注文情報を入力する第１注文情報入力手段と、入力されたテーブル特定情報を電子明細書端末に送信するテーブル特定情報送信手段と、を備え、電子明細書端末は、テーブル特定情報を受信するテーブル特定情報受信手段と、テーブル特定情報に関連付けられた注文情報を受信する第１注文情報受信手段と、注文情報を入力する第２注文情報入力手段と、第１注文情報受信手段により受信した注文結果と、第２注文情報入力手段による注文結果と、を表示する表示手段と、を備えたことを特徴とする。
【０００６】
この構成によれば、オーダリング端末で入力されたテーブル特定情報（テーブル番号等）を電子明細書端末に送信することで、当該電子明細書端末にテーブル特定情報を割当てることができる。これにより、簡単に、且つ確実にテーブル特定情報と、オーダリング端末および電子明細書端末とを関連付けることができ、当該テーブル特定情報が付与されたテーブルの顧客からの注文を、店員がオーダリング端末で入力しても、あるいは顧客が電子明細書端末で入力しても、同一の顧客の注文として処理することができる。また、電子明細書端末に対して店員が手動でテーブル特定情報の登録を行う手間を省けると共に、入力ミスを防止することができる。また、店員がオーダリング端末から入力した注文情報と、顧客が電子明細書端末から入力した注文情報を合わせて電子明細書端末に表示ができるため、顧客はその時点で注文した全メニュー名、数量、合計金額等を容易に把握できる。さらに、電子明細書端末に注文情報を表示できることで、店側としては、従来のように、注文毎（最初の注文や追加注文）に注文情報を印刷する必要がなくなり、印刷に係るコストや手間を削減することができる。
【０００７】
この場合、システム構成要素として、オーダリング端末および電子明細書端末と無線ＬＡＮにより接続されると共に、当該オーダリング端末および当該電子明細書端末に入力された注文情報を受信して管理する管理サーバをさらに備え、電子明細書端末は、管理サーバに対して、テーブル特定情報と自身のＩＤ情報と、を関連付けた端末情報を送信する端末情報送信手段をさらに備え、管理サーバは、端末情報を受信する端末情報受信手段と、オーダリング端末および電子明細書端末から、テーブル特定情報と共に注文情報を受信する第２注文情報受信手段と、を備え、受信した端末情報に基づいて、受信した全ての注文情報を電子明細書端末に送信することが好ましい。
【０００８】
この構成によれば、電子明細書端末が管理サーバに対して端末情報を送信し、管理サーバが当該端末情報を受信することで、管理サーバは当該電子明細書端末が現時点で使用されていることを判別する。そして、管理サーバは、オーダリング端末および電子明細書端末から入力された注文情報を受信し、受信した注文情報と関連付けられたテーブル特定情報に対応するＩＤ情報が付与された電子明細書端末に当該注文情報を送信する。これにより、管理サーバは、現時点で使用されている全ての電子明細書端末の情報および注文情報を一括管理でき、各注文情報を該当する電子明細書端末に正確に送信することができる。なお、同一のテーブル特定情報と関連付けられた注文情報を複数回受信した場合は、これらを合わせた全ての注文情報を電子明細書端末に送信する。
【０００９】
これらの場合、第２注文情報入力手段は、入力可能なメニューの種類が、第１注文情報入力手段とは異なることが好ましい。
【００１０】
この構成によれば、例えば、電子明細書端末で全てのメニューが入力できるようにした場合、メニューの数が多すぎて、顧客が所望するメニューを探すために煩雑な操作を必要とすることが考えられる。そこで、電子明細書端末で入力可能なメニューの種類を、おすすめメニューや顧客が最初に注文する頻度の高いメニュー（ジュースや酒類等）に限定することで、顧客は、煩雑な操作をすることなく簡単に注文を行うことができる。
【００１１】
これらの場合、電子明細書端末は、表示手段に表示された注文情報に基づく決済情報である電子レシートを発行するための電子レシート発行手段をさらに有し、電子レシート発行手段は、顧客が所有する携帯情報端末等に電子レシートを送信することが好ましい。
【００１２】
この構成によれば、電子明細書端末により、電子レシートを発行することができる。これにより、従来のようなレシート印刷が不要となり、レシートに使用される紙、および印刷装置に係るコストを削減することができる。
【００１３】
これらの場合、システム構成要素として、飲食店の出口付近に設置された盗難防止装置をさらに有し、電子明細書端末は、自身を特定するための無線タグをさらに備え、盗難防止装置は、無線タグの読み取り結果に応じて、電子明細書端末の盗難を検知することが好ましい。
【００１４】
この構成によれば、盗難防止装置により、電子明細書端末の無線タグを検知することで、電子明細書端末の盗難（店外への持ち出し）を防止することができる。
【００１５】
本発明の電子明細書端末は、上記に記載のオーダリングシステムに用いられることを特徴とする。
【００１６】
この構成によれば、本発明のオーダリングシステムにおいて、設定を簡単に行うことができる電子明細書端末を提供することができる。
【００１７】
本発明のプログラムは、コンピュータを、上記に記載のオーダリングシステムにおける電子明細書端末の各手段として機能させるためのものであることを特徴とする。
【００１８】
これを用いることにより、テーブル特定情報と電子明細書端末との関連付けを行い、当該テーブル特定情報に関連付けられた全ての注文情報を、電子明細書端末に表示することができるプログラムを提供することができる。
【発明を実施するための最良の形態】
【００１９】
以下、添付の図面を参照して、本実施形態に係るオーダリグシステムについて説明する。本実施形態に係るオーダリングシステムは、顧客（テーブル）毎に提供される携帯型の電子明細書端末の設定を簡単に行うことができると共に、全ての注文情報を電子明細書端末に表示することができるシステムである。
【００２０】
図１を参照し、本発明のオーダリングシステム１について説明する。図１は、飲食店９内の様子を模式的に表した図である。同図に示すように、本発明のオーダリングシステム１は、各従業員が所持するオーダリング端末２と、顧客（テーブル８）毎に提供される電子明細書端末３と、オーダリング端末２および電子明細書端末３で入力された注文情報６（図３参照）を管理する管理サーバ４と、飲食店９の出入口付近に設置された盗難防止装置５と、で構成されている。オーダリング端末２、電子明細書端末３および盗難防止装置５と、管理サーバ４との間は、無線ＬＡＮ：ＮＴ１により接続され通信を行う。一方、オーダリング端末２および盗難防止装置５と、電子明細書端末３との間は、ＲＦＩＤを利用して近接無線通信ＮＴ２を行う。
【００２１】
オーダリング端末２は、店員が顧客からの注文を入力するための携帯情報端末である。店員は、オーダリング端末２を操作して、顧客のテーブル番号（テーブル特定情報）、人数等の顧客情報７（図２参照）を入力する（テーブル特定情報入力手段）。オーダリング端末２は、顧客情報７が入力されると近接無線通信ＮＴ２を介してまだ顧客情報７が設定されていない近傍の電子明細書端末３を検出し、１台の電子明細書端末３が検出された場合には顧客情報７をその電子明細書端末３に送信する（テーブル特定情報送信手段）。店員は、１台のオーダリング端末２と、顧客情報７が設定されていない少なくとも１台の電子明細書端末３を携帯している。ここで、複数台の電子明細書端末３が検出された場合には、後述するように、店員が何れか１台の電子明細書端末３を選択し、その選択された１台の電子明細書端末３に顧客情報７を送信する。また、店員は顧客からの注文依頼を受け、オーダリング端末２を操作して注文情報６（メニュー名、数量、単品金額、合計金額）を入力する。この場合、まず、顧客のテーブル番号を入力し、続けて注文情報６を入力することで、テーブル番号と注文情報６とを関連付けて入力することができる（第１注文情報入力手段）。そして、この注文情報６およびテーブル番号を無線ＬＡＮ：ＮＴ１を介して管理サーバ４に送信する。
【００２２】
電子明細書端末３は、顧客に注文情報６を提示するためのものであり、店員が顧客を席に案内した際、顧客のテーブル８毎（顧客毎、あるいはグループ毎）に顧客情報７が設定され、テーブル８上あるいはテーブル８近辺に載置される。図２に示すように、電子明細書端末３は、文字や画像を表示するタッチパネル式のディスプレイ１１と、顧客が所定の操作を行うための操作ボタン１２と、を有している。
【００２３】
電子明細書端末３は、オーダリング端末２から送信された顧客情報７（テーブル番号、人数など）を受信すると（テーブル特定情報受信手段）、当該顧客情報７を記録すると共に受信したテーブル番号および自身のＩＤ情報（端末ＩＤ、端末タグＩＤ）を端末情報として管理サーバ４に送信し（端末情報送信手段）、当該電子明細書端末３がアクティブになった（使用されている）ことを通知する。これにより、当該通知以降、オーダリング端末２により入力された注文情報６は、管理サーバ４を介して電子明細書端末３に送信され、電子明細書端末３は当該注文情報６をディスプレイ１１に表示する。この場合、注文情報６は、明細書画面１４に表示される（図３（ａ）参照）。明細書画面１４では、上段に店名２１が表示され、次いで来店時間（テーブル番号を受信した時間）、人数、テーブル番号等の顧客情報７が表示される。そして、中段以降には、顧客が注文した全ての注文情報６（メニュー名、数量、単品金額、合計金額）が表示され、この注文情報６の内容は、注文の追加やキャンセル等に伴って随時更新される。
【００２４】
また、電子明細書端末３は、顧客が操作ボタン１２およびタッチパネル１３を操作することにより、注文画面１５から注文を入力することができる（第２注文情報入力手段，図４参照）。注文画面１５は、階層式にメニューが表示され、顧客が当該メニューを選択することによって注文が確定する。例えば、図４（ａ）のように、「お酒の種類」を示す第１カテゴリ２３を表示し、顧客に選択させる。ここで、顧客が「ビール」を選択すると、第２カテゴリ２４に遷移し、「ビールの種類」を表示して選択させる（同図（ｂ）参照）。そして、注文画面１５の下段に選択したメニュー、数量および合計金額等の注文情報６を表示する。この場合、顧客が選択（入力）した注文情報６とテーブル番号と、を関連付けて管理サーバ４に送信することで注文受付が完了し、その後、管理サーバ４から全ての注文情報６を受信して明細書画面１４に表示する。
【００２５】
なお、電子明細書端末３から注文可能なメニューの種類はオーダリング端末２とは異なっており、例えば、店のおすすめメニューや、顧客が最初に注文する頻度の高いメニュー（酒類やジュース類等）に限定されている。これは、電子明細書端末３で全てのメニューを入力できるようにした場合、メニューの数が多すぎて、顧客が所望するメニューを探すために煩雑な操作を必要とすることが考えられるからであり、メニューを限定することで、顧客は、煩雑な操作をすることなく簡単に注文を行うことができる。
【００２６】
また、電子明細書端末３は、顧客が操作ボタン１２を操作することにより、会計画面１６を表示する（図３（ｂ）参照）。この会計画面１６には、顧客が注文した全ての注文情報６に基づいた決済情報２６や端末の操作案内等の解説２７が表示される。顧客が精算を行う場合、会計画面１６を表示した電子明細書端末３を、精算窓口（レジ）に提示することで精算（会計）を行う。また、精算要求に応じてレシートを発行する場合、精算窓口または顧客のテーブル８で電子レシートを発行することが可能であり、この場合、電子明細書端末３から顧客の所持する携帯電話等の携帯情報端末１００（図６参照）に対し、決済情報２６を送信することで電子レシートの発行を行う（電子レシート発行手段）。これにより、従来のような紙のレシート印刷が不要となるほか、レシートに使用される紙資源、および印刷装置に係るコストを削減することができる。
【００２７】
なお、精算窓口で精算処理が行われると、その情報が管理サーバ４から電子明細書端末３に送られ、電子明細書端末３は、記録された顧客情報７や注文情報６を消去する。また、電子明細書端末３は、近接無線通信ＮＴ２を介してオーダリング端末２から顧客情報７を受信した時点から精算後に顧客情報７を消去するまでの顧客情報７が有効な時のみ管理サーバ４との通信機能や表示機能をアクティブにし、それ以外の時にはスリープ状態にすることにより、無駄な電力消費を低減し充電あるいは電池交換の周期を延ばすことができる。
【００２８】
管理サーバ４は、オーダリング端末２および電子明細書端末３から入力された顧客毎（テーブル８毎）の注文情報６を一括管理する。管理サーバ４は、電子明細書端末３からテーブル番号および端末情報を受信することで（端末情報受信手段）、当該電子明細書端末３がアクティブ（使用可能）になったと判断すると共に、受信したテーブル番号と電子明細書端末３とを関連付けて記録する。また、管理サーバ４は、オーダリング端末２および電子明細書端末３からテーブル番号および注文情報６を受信すると（第２注文情報受信手段）、これらを関連付けて記録する。そして、現時点で注文を受けた全ての注文情報６を、当該テーブル番号に対応する電子明細書端末３に対して送信する。これにより、管理サーバ４は、現時点で使用されている全ての電子明細書端末３の端末情報および注文情報６を一括管理でき、各注文情報６を該当する電子明細書端末３に正確に送信することができる。
【００２９】
盗難防止装置５は、飲食店９の出口付近に配設されているＲＦＩＤリーダであり、電子明細書端末３を（端末タグＩＤ（ＲＦＩＤ部５９））を読み取る。そして、この読取結果に応じて、電子明細書端末３の盗難を検知する。これにより、電子明細書端末３の盗難（飲食店９外への持ち出し）を防止することができる。なお、盗難防止装置５により、電子明細書端末３（端末タグＩＤ）を読み取った場合、警報を鳴らして店員に報知したり、あるいは、管理サーバ４に検出結果を通知することが好ましい。
【００３０】
ここで、図５ないし図７の制御ブロック図を参照し、各構成要素の制御構成について説明する。まず、図５に示すように、オーダリング端末２は、ＣＰＵ３１（Central Processing Unit）、ＲＡＭ３２（Random Access Memory）、ＲＯＭ３３（Read Only Memory）、ＲＦＩＤ部３４、入力部３５、表示部３６、記憶部３７、無線ＬＡＮ通信部３８で構成されている。ＣＰＵ３１は、ＲＯＭ３３内に記憶された制御プログラムに従って、ＲＡＭ３２内のデータの処理を行う。また、記憶部３７には、全てのメニューデータ４１が記録されている。
【００３１】
ＲＦＩＤ部３４は、ＲＦＩＤ通信部４２、アンテナ部４３を有し、電子明細書端末３との通信を行う。入力部３５は、キー操作により、顧客のテーブル番号および人数（顧客情報７）や、顧客からの注文情報６を入力する。また、表示部３６は、入力部３５から入力された注文情報６を表示する。
【００３２】
ＣＰＵ３１は、入力部３５によりテーブル番号および人数（顧客情報７）が入力されると、ＲＦＩＤ通信部４２を制御すると共に、アンテナ部４３を介して顧客情報７を電子明細書端末３に送信する。また、ＣＰＵ３１は、入力部３５から注文が入力されると、記憶部３７のメニューデータ４１から当該注文に対するデータを読出すと共に、注文の合計金額を算出し、これらの情報（注文情報６）を表示部３６に表示する。そして、ＣＰＵ３１は、この注文情報６および顧客情報７（テーブル番号、人数）を無線ＬＡＮ通信部３８を介して管理サーバ４に送信する。
【００３３】
なお、表示部３６をタッチパネルにすることで、表示部３６と入力部３５とを一体に構成するようにしても良い。また、記憶部３７のメニューデータ４１は、メモリカード（図示省略）等の外部記憶媒体に記録し、これをオーダリング端末２にセットするようにしても良い。
【００３４】
次に、図６を参照して、電子明細書端末３の制御構成について説明する。電子明細書端末３は、ＣＰＵ５１、ＲＡＭ５２、ＲＯＭ５３、操作部５４、表示部５５（ディスプレイ１１）、記憶部５６、無線ＬＡＮ通信部５７、電子明細書発行インターフェース５８、ＲＦＩＤ部５９で構成されている。ＣＰＵ５１は、ＲＯＭ５３内に記憶された制御プログラムに従って、ＲＡＭ５２内のデータの処理を行う。また、記憶部５６には、限定メニューデータ６１、注文データ６２（注文情報６）、顧客データ６３（顧客情報７）が記録されている。
【００３５】
ＲＦＩＤ部５９は、ＲＦＩＤ通信部６５、アンテナ部６６、メモリ部６７を有している。ＣＰＵ５１は、ＲＦＩＤ通信部６５を制御し、アンテナ部６６を介してオーダリング端末２から送信される顧客情報７を受信し、記憶部５６に顧客データ６３として記録する。これにより、当該電子明細書端末３とテーブル番号と、の関連付けがなされる。そして、ＣＰＵ５１は、顧客情報７（テーブル番号）および自身を特定する端末情報を無線ＬＡＮ通信部５７を介して管理サーバ４に送信し、自身がアクティブになった（使用されている）旨を通知する。また、ＣＰＵ５１は、管理サーバ４から送信される注文情報６を無線ＬＡＮ通信部５７を介して受信し、当該注文情報６を表示部５５（明細書画面１４）に表示する。また、ＣＰＵ５１は、アンテナ部６６を介して、盗難防止装置５から送信される端末ＩＤ読取要求を受信し、当該要求に基づき、メモリ部６７に記憶されている自身の端末タグＩＤを応答として盗難防止装置５に送信する。これにより、端末タグＩＤが盗難防止装置５により読み取られる。
【００３６】
操作部５４は、呼出ボタン７１、明細ボタン７２、注文ボタン７３、会計ボタン７４、確認ボタン７５から成る操作ボタン１２を有し、ＣＰＵ５１は、操作部５４からの信号に基づき、所定の処理を行う。呼出ボタン７１は、顧客が店員を呼ぶためのものである。呼出ボタン７１が押下された場合、ＣＰＵ５１は、無線ＬＡＮ通信部５７を介して管理サーバ４にその旨およびテーブル番号を通知することで、店員は、どの顧客から呼ばれたのかを把握することができる。
【００３７】
明細ボタン７２は、顧客が注文したメニューの明細を表示するものである。明細ボタン７２が押下された場合、ＣＰＵ５１は、表示部５５に明細書画面１４を表示し（明細書画面１４に切り替え）、注文データ６２および顧客データ６３に基づいて注文情報６および顧客情報７を画面表示する（図３（ａ）参照）。
【００３８】
注文ボタン７３は、顧客が電子明細書端末３からメニューの注文を行うためのものである。注文ボタン７３が押下された場合、ＣＰＵ５１は、表示部５５に注文画面１５を表示し（注文画面１５に切り替え）、記憶部５６に記録した限定メニューデータ６１を読み出して注文可能な（選択可能な）メニューを画面表示する（図４参照）。そして、ＣＰＵ５１は、顧客の注文に基づき、当該注文結果を注文画面１５に表示する。ここで、顧客により確認ボタン７５押下されると、ＣＰＵ５１は、無線ＬＡＮ通信部５７を介して管理サーバ４に注文情報６を送信すると共に、管理サーバ４から当該注文情報６を含む当該顧客の全ての注文情報６を受信する。なお、限定メニューデータ６１は、メモリカード（図示省略）等の外部記憶媒体に記録し、これを電子明細書端末３にセットするようにしても良いし、無線ＬＡＮ通信部５７を介して管理サーバ４からダウンロードするようにしても良い。
【００３９】
会計ボタン７４は、決済情報２６を表示するためのものである。会計ボタン７４が押下された場合、ＣＰＵ５１は、表示部５５に会計画面１６を表示し（会計画面１６切り替え）、顧客が注文した注文情報６に基づいた決済情報２６を表示する（図３（ｂ）参照）。この会計画面１６が表示されている状態で、顧客が確認ボタン７５を押下すると、ＣＰＵ５１は、当該決済情報２６を電子レシートとして、電子明細書発行インターフェース５８を介して、顧客が所持する携帯情報端末１００（携帯電話等）に送信する。
【００４０】
次に、図７（ａ）を参照して、管理サーバ４の制御構成について説明する。管理サーバ４は、ＣＰＵ８１、ＲＡＭ８２、ＲＯＭ８３、ＨＤＤ８４（Hard Disk Drive）、通信部８５、表示部８６で構成されている。ＣＰＵ８１は、ＨＤＤ８４に記憶された制御プログラムを起動時にＲＡＭ８２にコピーし、その制御プログラムに従ってＲＡＭ８２内などに保存されたデータの処理を行う。また、ＨＤＤ８４には、注文データベース８８が記録されている。ＣＰＵ８１は、通信部８５を介して、電子明細書端末３から顧客情報７（テーブル番号、人数）および端末情報（端末ＩＤ、端末タグＩＤ）を受信し、これらを関連付けて記録する。これにより、ＣＰＵ８１は、当該ＩＤ情報に対応する電子明細書端末３がアクティブになったことを判別すると共に、当該テーブル番号から電子明細書端末３を特定することができる。
【００４１】
また、ＣＰＵ８１は、通信部８５を介して、オーダリング端末２および電子明細書端末３から注文情報６およびテーブル番号を受信し、これら情報を関連付けて注文データベース８８に記録する。そして、ＣＰＵ８１は、表示部８６に当該注文情報６を表示すると共に、当該テーブル番号に関連付けられた電子明細書端末３に対して注文情報６を送信する。この場合、既に注文データベース８８に同一テーブル番号に対応した注文情報６が記録されていれば、ＣＰＵ８１は、既存の注文情報６と、新規に受信した注文情報６と、を合わせた全ての注文情報６を電子明細書端末３に送信する。
【００４２】
さらに、ＣＰＵ８１は、通信部８５を介して盗難防止装置５から電子明細書端末３の端末タグＩＤを受信し、当該端末タグＩＤに関連付けられた端末ＩＤから電子明細書端末３を特定する。これにより、ＣＰＵ８１は、当該電子明細書端末３が店外に持ち出されたことを判別する。この場合、例えば、表示部８６に「盗難」を示す情報を表示したり、あるいは、店員が所持するオーダリング端末２に通知する等の処理を行うことが好ましい。
【００４３】
次に、図７（ｂ）を参照して、盗難防止装置５の制御構成について説明する。盗難防止装置５は、ＲＦＩＤ通信部９１と、アンテナ部９２と、メモリ部９３と、通信部９４と、報知部９５と、各部と接続され盗難防止装置５を制御する制御部９６を備えている。電子明細書端末３の端末タグＩＤの読取を行う場合、制御部９６は、ＲＦＩＤ通信部９１を制御し、アンテナ部９２を介して自身の電波送受信範囲内に存在する電子明細書端末３のＲＦＩＤ部５９に端末タグ読取要求を送信する。一方、ＲＦＩＤ部５９からの応答データを受信する場合、制御部９６は、アンテナ部９２を介して受信された応答データをＲＦＩＤ通信部９１を制御して処理し、その結果、当該ＲＦＩＤ部５９の端末タグＩＤを取得する。また、制御部９６は、端末タグＩＤを取得した場合、報知部９５を制御して警報を鳴らしたり、あるいは、通信部９４を介して管理サーバ４等にその旨を報知する。
【００４４】
ここで、図８を参照して、電子明細書端末３とテーブル番号とを関連付ける手順について説明する。まず、オーダリング端末２は、店員が入力部３５を操作することにより、顧客のテーブル番号を入力すると（Ｓ０１，テーブル特定情報入力手段）、ＲＦＩＤ部３４のアンテナ部４３に電力を供給し、近傍の電子明細書端末３からの応答を確認する（Ｓ０２）。電子明細書端末３は、ＲＦＩＤ部５９でオーダリング端末２からの確認信号を受信すると、記憶部５６に記憶した顧客データ６３などの情報を確認し、顧客データ６３が記録されていない場合は端末情報を送信する（Ｓ０３）。
【００４５】
オーダリング端末２では、電子明細書端末３からの応答を受信し、応答が1台の電子明細書端末３のみの場合は（Ｓ０４：Ｙｅｓ）、テーブル番号を当該電子明細書端末３に送信する（Ｓ０６，テーブル特定情報送信手段）。ここで、応答が複数の電子明細書端末３からあった場合は（Ｓ０４：Ｎｏ）、電子明細書端末３の操作ボタン１２の何れか（例えば、確認ボタン７５）を押すよう表示部３６にメッセージを表示する（Ｓ０５）。このとき、電子明細書端末３に同様のメッセージを表示するよう要求してもよい。店員により確認ボタン７５が押された電子明細書端末３は、端末情報と確認ボタン７５が押された旨の情報とをオーダリング端末２へ送信する。このようにして、オーダリング端末２は１台の電子明細書端末３を特定することができる。一方、電子明細書端末３からの応答がない場合は（Ｓ０４：Ｎｏ）、表示部３６にその旨メッセージを表示し（Ｓ０５）、近傍の電子明細書端末３からの応答確認を繰り返す。
【００４６】
電子明細書端末３は、オーダリング端末２から送信されたテーブル番号を受信し（Ｓ０７，テーブル特定情報受信手段）、自身の記憶部５６（顧客データ６３）に記録した後（Ｓ０８）、無線ＬＡＮ通信部５７を経由して、当該テーブル番号および自身の端末情報を管理サーバ４に送信する（Ｓ０９，端末情報送信手段）。管理サーバ４は、テーブル番号および端末情報を受信し（Ｓ１０，端末情報受信手段）、これらを関連付けて記録する（Ｓ１１）。
【００４７】
次に、図９を参照して、オーダリング端末２から注文を入力した場合の注文処理手順について説明する。まず、オーダリング端末２は、店員が入力部３５を操作することにより、顧客のテーブル番号および注文情報６を入力する（Ｓ２１，第１注文情報入力手段）。そして、オーダリング端末２は、全ての注文情報６の入力が終了すると、注文を確認するための注文確認画面を自身の表示部３６に表示する（Ｓ２２）。店員による注文確認後、オーダリング端末２は、テーブル番号および注文情報６を管理サーバ４に送信する（Ｓ２３）。管理サーバ４は、当該テーブル番号および注文情報６を受信する（Ｓ２４，第２注文情報受信手段）と共に、これらを関連付けて注文データベース８８に記録する（Ｓ２５）。次に、管理サーバ４は、当該テーブル番号に関連付けられた端末情報（端末ＩＤ）から、電子明細書端末３を特定し（Ｓ２６）、当該電子明細書端末３に注文情報６を送信する（Ｓ２７）。この場合、注文データベース８８に記録されている当該テーブル番号に対応する全ての注文情報６を電子明細書端末３に送信する。そして、電子明細書端末３は、この注文情報６を受信し（Ｓ２８，第１注文情報受信手段）、明細書画面１４に表示する（Ｓ２９）。
【００４８】
次に、図１０を参照して、電子明細書端末３から注文を入力した場合の注文処理手順について説明する。まず、電子明細書端末３は、顧客が注文ボタン７３を押下するにより、注文画面１５を表示する（Ｓ３１）。そして、電子明細書端末３は、顧客が注文画面１５を操作することにより、注文情報６を入力する（Ｓ３２，第２注文情報入力手段）。全ての注文情報６の入力が終了すると、電子明細書端末３は、入力された全ての注文情報６を注文画面１５に表示する（Ｓ３３）。そして、電子明細書端末３は、テーブル番号および注文情報６を管理サーバ４に送信する（Ｓ３４）。管理サーバ４は、当該テーブル番号および注文情報６を受信する（Ｓ３５，第２注文情報受信手段）と共に、これらを関連付けて注文データベース８８に記録する（Ｓ３６）。次に、管理サーバ４は、当該テーブル番号に関連付けられたＩＤ情報（端末ＩＤ）から、電子明細書端末３を特定し（Ｓ３７）、当該電子明細書端末３に注文情報６を送信する（Ｓ３８）。この場合、注文データベース８８に記録されている当該テーブル番号に対応する全ての注文情報６を電子明細書端末３に送信する。そして、電子明細書端末３は、この注文情報６を受信し（Ｓ３９，第１注文情報受信手段）、明細書画面１４に表示する（Ｓ４０）。
【００４９】
以上のように、本実施形態よれば、オーダリング端末２で入力されたテーブル番号を電子明細書端末３に送信することで、当該電子明細書端末３にテーブル番号を割当てることができる。これにより、簡単に、且つ確実にテーブル番号と、オーダリング端末２および電子明細書端末３とを関連付けることができ、当該テーブル番号が付与されたテーブル８の顧客からの注文を、店員がオーダリング端末２で入力しても、あるいは顧客が電子明細書端末３で入力しても、同一の顧客の注文として処理することができる。また、電子明細書端末３に対して店員が手動でテーブル番号の登録を行う手間を省けると共に、入力ミスを防止することができる。
【００５０】
また、店員がオーダリング端末２から入力した注文情報６と、顧客が電子明細書端末３から入力した注文情報６を合わせて電子明細書端末３に表示ができるため、顧客はその時点で注文した全メニュー名、数量、合計金額等を容易に把握できる。さらに、電子明細書端末３に注文情報６を表示できることで、店側としては、従来のように、注文毎（最初の注文や追加注文）に注文情報６を印刷する必要がなくなり、印刷に係るコストや手間を削減することができる。
【００５１】
また、上記の例に示した、オーダリング端末２、電子明細書端末３および管理サーバ４の機能をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００５２】
また、上述した実施例によらず、オーダリングシステム１の装置構成や処理工程等について、本発明の要旨を逸脱しない範囲で、適宜変更も可能である。
【図面の簡単な説明】
【００５３】
【図１】本実施形態に係るオーダリングシステムのシステム構成図である。
【図２】電子明細書端末の外観図である。
【図３】電子明細書端末の（ａ）明細書画面を示す図、および（ｂ）会計画面を示す図である。
【図４】電子明細書端末の注文画面を示す図である。
【図５】オーダリング端末の制御ブロック図である。
【図６】電子明細書端末の制御ブロック図である。
【図７】（ａ）管理サーバの制御ブロック図、および（ｂ）盗難防止装置の制御ブロック図である。
【図８】電子明細書端末とテーブル番号と、を関連付ける手順について説明するフローチャートである。
【図９】オーダリング端末から注文を入力した場合の注文処理手順について説明するフローチャートである。
【図１０】電子明細書端末から注文を入力した場合の注文処理手順について説明するフローチャートである。
【符号の説明】
【００５４】
１…オーダリングシステム  ２…オーダリング端末  ３…電子明細書端末  ４…管理サーバ  ５…盗難防止装置  ６…注文情報  ７…顧客情報  ８…テーブル  ９…飲食店  １１…ディスプレイ  １４…明細書画面  ５５…表示部  ５９…ＲＦＩＤ部  １００…携帯情報端末  ＮＴ１…無線ＬＡＮ  ＮＴ２…近接無線通信
【図１】
2009042864.tif 000003
【図２】
2009042864.tif 000004
【図３】
2009042864.tif 000005
【図４】
2009042864.tif 000006
【図５】
2009042864.tif 000007
【図６】
2009042864.tif 000008
【図７】
2009042864.tif 000009
【図８】
2009042864.tif 000010
【図９】
2009042864.tif 000011
【図１０】
2009042864.tif 000012